(57)【特許請求の範囲】
【請求項１】
調理用加熱器の端部から所定の左右寸法を加えた平面積をもって下面が開口した下向き箱状の薄形なフードを形成し、該フードの前面に操作部を設け、前記フードの天板の左右の部分に設けた指標部をもとに左右いずれか一方に通風用開口を形成し、該フードの天板上にフィルタと建屋に配管された排気ダクトに連絡する送風機とを内蔵した送風機ユニットを前記通風用開口に連通して連結し、前記送風機ユニットの一側面をフードの左側または右側の一側面と同一垂直面となるようにフードの片側に寄せて送風機ユニットを配備して、その送風機ユニットの他側面とフード上との間に吊戸棚用スペースを確保したことを特徴とするレンジフードファン。
【請求項２】
前記指標部がハーフカットであることを特徴とする請求項１記載のレンジフードファン。
【請求項３】
前記フィルタを送風機ユニットに対して通風用開口を介してフード内から係脱可能に支承していることを特徴とする請求項１または２記載のレンジフードファン。
【発明の詳細な説明】
【０００１】
【発明の属する技術分野】
本発明は、レンジフードファン、更に詳しくは可燃性材料で造られた壁（間仕切り等）に隣設して設置されるレンジフードファンに関するものである。
【０００２】
【従来の技術】
レンジフードファンは図７に示すように壁（間仕切壁）100 に隣設して設置される場合が多いが、その壁100 が可燃性材料で製作されている時には、コンロ等の調理用加熱器Ｂをその壁100 に対して１５ｃｍ以上離間させて配置しなければならないとする消防上の規制がある。
その時、調理用加熱器Ｂ真上に設置されるレンジフードファンＡ’とその壁100 との間は非常に幅が狭く使い難いため、デッドスペースにしたり、幅狭な引き出し101 として利用される。また吊戸棚400 や引き出し101 が可燃性材料で成形されている場合にはその間に不燃材７を介在させ、更に調理用加熱器Ｂと対面する吊戸棚400 や引き出し101 下面も不燃材７で処理することが定められている。
【０００３】
【発明が解決しようとする課題】
ところで、例えばキッチンの幅寸法を２７０ｃｍ、調理用加熱器Ｂの幅寸法６０ｃｍ、対応するレンジフードファンＡ’の幅寸法を６０ｃｍとした場合、２７０ｃｍー（６０ｃｍ＋１５ｃｍ）＝１９５ｃｍの幅寸法の吊戸棚スペースしか確保することができず、収納スペースを大きく確保する上で好ましいものではなかった。
【０００４】
本発明は、従来事情に鑑みてなされたもので、その目的とする処は、吊戸棚スペースを大きく確保でき、しかも防火対策上でも優れた利点を有するレンジフードファンを提供することにある。
【０００５】
【課題を解決するための手段】
上記目的を達成するために講じた技術的手段は、請求項１は、調理用加熱器の端部から所定の左右寸法を加えた平面積をもって下面が開口した下向き箱状の薄形なフードを形成し、該フードの前面に操作部を設け、前記フードの天板の左右の部分に設けた指標部をもとに左右いずれか一方に通風用開口を形成し、該フードの天板上に、フィルタと建屋に配管された排気ダクトに連絡する送風機とを内蔵した送風機ユニットを前記通風用開口に連通して連結し、前記送風機ユニットの一側面をフードの左側または右側の一側面と同一垂直面となるようにフードの片側に寄せて送風機ユニットを配備して、その送風機ユニットの他側面とフード上との間に吊戸棚用スペースを確保したことを要旨とする。
また、請求項２は、請求項１記載の指標部がハーフカットであることを要旨とする。
更に、請求項３は、請求項１記載のフィルタを送風機ユニットに対して通風用開口を介してフード内から係脱可能に支承していることを要旨とする。
【０００６】
上記技術的手段によれば下記の作用がある。
（請求項１）左側壁（間仕切）隣設型の場合にはフードにおける天板の左側の部分に設けた指標部をもとに、また右側壁（間仕切）隣設型の場合にはフードにおける天板の右側の部分に設けた指標部をもとに通風用開口を形成し、その通風用開口に連通して送風機ユニットを連結し、その送風機ユニットを備えたフードを、壁（間仕切）に隣接して吊戸棚レベル下に位置するように設置する。これにより、送風機ユニットはフードの片側に寄せられて配設され、送風機ユニットサイドのフードの上方に吊戸棚用として利用されるスペースを確保する。
また、フードが、調理用加熱器の端部から所定の左右寸法を加えた平面積をもつ広さに形成されていることから、調理用加熱器よりも一回り広い範囲をもって金属製の覆いが調理用加熱器上に設置され、これが上方の吊戸棚を調理用加熱器から防護する防火壁となる。
（請求項２）設置現場で左側壁（間仕切）隣設型、右側壁（間仕切）隣設型に応じて容易に通風用開口を開口させる。
（請求項３）フィルタをフード内から交換させる。
【０００７】
【発明の実施の形態】
次に、本発明の実施の形態を図面に基づいて説明する。
図１乃至図７は本実施の形態のレンジフードファンＡを示している。
【０００８】
このレンジフードファンＡは、下面が開口した下向き薄形の箱状のフード１と、その天板11上に連結した送風機ユニット２とからなっている。
【０００９】
フード１は、調理用加熱器Ｂの端部から左右寸法Ｘ（１５ｃｍ）を加えた平面積を有する平面視矩形な薄形箱状に形成されており、その天板11の左右の部分に通風用開口31、31を形成するための指標部21、21を有し、その指標部21をもとに隣設する壁100 が左側壁、右側壁かに応じて施工現場でフード１の左側または右側に通風用開口31が開口できるようになっている。
この指標部21は本実施の形態ではハーフカットであり、設置現場で容易に通風用開口31を開口できるようになっている。
【００１０】
また、このフード１の前面には、後述する送風機ユニット２に内蔵された送風機12を作動させたり、回転数を制御する操作部３を配設している。
【００１１】
送風機ユニット２は、送風機ボックス22、フィルタボックス32、送風機12、フィルタ42、送風機12と建屋に配管された排気ダクト４とを接続するアダプタ52等を備えている。
【００１２】
送風機12は、図２、図３に示すようにボリュート形状を呈し両側面に吸込口12ｂを形成したファンケーシング12ａにシロッコファン12ｃを収容した両面吸込タイプのものであり、符号12ｅがその一方の吸込口12ｂに設けた取付座12ｄに取付けられた駆動用のモータであり、該駆動用のモータ軸12ｅ’がファンケーシング12ａ内のシロッコファン12ｃに連結してある。
【００１３】
前記送風機12を内蔵する送風機ボックス22は、図２、図３に示すように前面に所望幅寸法の内折フランジ部22ａを残して開口22ｂを形成すると共に上面に排気口22ｃを形成した内部中空な方形状を呈してなり、ファンケーシング12ａの吐出部12ｆを前記排気口22ｃに連通させて送風機12をファンケーシング12ａ内に吊持状にネジ止めしている。
【００１４】
フィルタボックス32は、図２に示すように側面視扇状を呈してなり、後面と下面とに所望幅寸法の内折フランジ部32ａを残して開口32ｂを設けており、後側の内折フランジ部32ａを前記送風機ボックス22における前面開口22ｂの内折フランジ部22ａにネジ止めして、前記送風機ボックス22と連通状に連結されている。
【００１５】
このフィルタボックス32は、内部の中間位置に斜め状に横断するフィルタ42を備えている。
【００１６】
フィルタボックス32と送風機ボックス22を連結した送風機ユニット２は、レンジフードファンＡが左側壁隣設型か、右側壁隣設型かによって、フィルタボックス32下面の開口32ｂである吸気口回りの内折フランジ部32ａを前記左側または右側の通風用開口31に連通するようにフード１の天板11にネジ止めすると共に、送風機ボックス22を同様にフード１の天板11にネジ止めされる。
これによって送風機ユニット２は、その一側面をフード１の左側または右側の一側面と同一垂直面となるようにフード１の片側に寄せて配備されるようになる。
【００１７】
フィルタ42は、図２に示すように上桟42ｂ、下桟42ｃ、左右桟42ｄからなる周桟枠42ａの上下桟42ｂ、42ｃの支持溝42ｂ’、42ｃ’に亘って上下スライド可能に支承されている。
詳細には通常は上桟42ｂ、下桟42ｃの支持溝42ｂ’、42ｃ’に下端部及び上端部が支承されており、フード１の通風用開口31に臨む下位部分に突設した握り部42ｆを把持して上方に持ち上げると、上桟42ｂの支持溝42ｂ’内に確保されている溝の底とフィルタ42上端との遊び分、フィルタ42下端を上昇させると、下桟42ｃの支持溝42ｃ’からフィルタ42下端が自動的に外れてフード１内から容易に取り外せるようになっている。
【００１８】
アダプタ52は、左側壁、右側壁に配管されている排気ダクト４に接続するもの（第１アダプタ52ａと称する）と、天井壁に配管されている排気ダクト（図示せず）に接続するもの（第２アダプタ52ｂと称する）とがあり、第１アダプタ52ａは、図２、図３に示すように前記フィルタボックス32と同様な側面視扇形状を呈するケース52ｃの下端開放部に外向に折曲したフランジ52ｃ’を前記ファンケーシング12ａの天面にネジ止めして前記排気口22ｃに連通させ、側端面の塞ぎ板52ｄに排気ダクト４との接続筒52ｅを内部と連通するように連結することによって形成されている。
また、第２アダプタ52ｂは、図６に示すように取付基板52ｆの中央部から排気ダクトに接続する接続筒52ｇを一体的に突設してなり、その取付基板52ｆを同様にファンケーシング12ａの天面にネジ止めして前記排気口22ｃと接続筒52ｇとを連通させる。
【００１９】
符号５は、中継コード300 を収容する収容凹部であって、フード１の天板11に平面視Ｔ字状に凹設してある。この収容凹部５中で送風機12からのコード300aとその先端のコネクタ300b及び操作部３からのコード300cとその先端のコネクタ300dを上方に突出しないように収容することができるようになっており、コネクタ300b、300d同士を結線した後、コードカバー６でカバーする。
【００２０】
次に本実施の形態におけるレンジフードファンＡの取付について説明すると、図１に示すように左側壁に隣設してレンジフードファンＡを設置する場合にはフード１において左側のハーフカット（指標部）をもとにして設置現場で通風用開口31を開口し、その通風用開口31に下面の吸気口32ｂを連通させて送風機ユニット２をフード１の天板11にネジ止めする。
そして、このフード１を吊戸棚400 レベルよりも若干下位レベルにして設置する。
その時、調理用加熱器Ｂの端部から左右寸法（Ｘ）１５ｃｍを加えた面積範囲で消防法の規制で定められている例えば高さ１ｍ寸法（Ｙ）以内に可燃性材料で製作された吊戸棚400 や壁100 が配設される場合にはその吊戸棚400 や壁100 とレンジフードファンＡとの間に所定厚みの不燃材７を介在しなければならないとする消防法の規制に適合するように所定箇所に不燃材７を介在し、第１アダプタ52ａに排気ダクト４を接続する。
この時、前記するようにその一側面がフード１の左側の一側面と同一垂直面となるようにフード１の片側に寄せて配備されることから、送風機ユニット２の他側面とフード１との間に吊戸棚用スペースＣを確保することができる。
【００２１】
また、フィルタ42を清掃する場合には、そのフィルタ42が通風用開口31を介してフード下空間１’に臨むため、その通風用開口31からフィルタボックス32内に手を入れ、握り部42ｆを掴んでフィルタ42を上昇させて下端を下桟42ｃの支持溝42ｃ’から外すことで、フード下空間１’から係脱させることができる。
【００２２】
尚、図示しないが送風機ユニット２の前面を塞ぐ幕板をフード１の天板11から立設させることも任意であり、そのように構成することによって送風機ユニット２や排気ダクト４の室内への露呈を防止して内装性を向上させることができる。
【００２３】
尚、右側壁に隣設してレンジフードファンＡを設置する場合も通風用開口31の開口位置及びアダプタの向きが異なること以外に差異はないため、具体的に説明は省略する。
【００２４】
（実施例）送風機ボックス22は本実施の形態ではファンケーシング12ａの厚みを１５ｃｍ、ファンケーシング12ａの吐出部12ｆ寸法を約１５ｃｍ角としており、両面吸込み式のシロッコファン12ｃであるがために内部にファンケーシング12ａの両側部との間に吸込み用の空間を確保しても全幅Ｗ（３０ｃｍ）幅程度まで小型化できる。そのため、キッチンの全幅を２７０ｃｍとした場合、２７０ｃｍ−３０ｃｍ＝２４０ｃｍまで収納スペースを拡大することができる。
また、調理用加熱器幅Ｂ（６０ｃｍ）に対してフード全幅（Ｚ）は９０ｃｍとなり、そのフード１が吊戸棚400 の防護壁となる。
【００２５】
【発明の効果】
本発明は以上のように構成したから、下記の利点がある。
（請求項１）壁（間仕切）に隣設して設置されるレンジフードファンにおいて、右側壁、左側壁に応じて下面が開口した下向き薄形の箱状のフードの天板の左右の部分に設けた指標部をもとに左右いずれか一方に通風用開口を形成し、その通風用開口に送風機ユニットを連結し、そのフードを、壁（間仕切）に隣接して吊戸棚レベル下に位置するように設置しているから、送風機ユニットは右側壁、左側壁に寄り添うようにフードの片側に寄って配設される。そのため、送風機ユニットの他側面とフード上との間に吊戸棚用のスペースを確保でき、その分収納スペースを拡大することができる。
しかも、そのフードを調理用加熱器に所定の左右寸法を加えた平面積をもって下面を開口する下向きに形成しているため、そのフードが金属製の覆いとなって上方の吊戸棚や壁を調理熱から防護する防護壁として機能し、優れた防火対策となる。
その上、レンジフードファンと吊戸棚や壁との間に不燃材も介在する場合でも、吊戸棚や壁との接触面積が従来に比べて少なく、介在する不燃材も少量で済み、低コストでの提供を可能にする。
（請求項２）また、通風用開口の開設作業が設置現場の状況に応じて簡単に行え、レンジフードファンの取付施工の簡素化を図ることができる。
（請求項３）しかもフィルタをフード内から容易に係脱して清掃でき、使用勝手が非常に良くなる。
【図面の簡単な説明】
【図１】使用状態を示す正面図。
【図２】図１の（２）ー（２）線拡大断面図。
【図３】図２の（３）ー（３）線断面図。
【図４】フードの斜視図。
【図５】レンジフードファンの斜視図。
【図６】フード、送風機ユニット、アダプタ等の分解斜視図。
【図７】従来のレンジフードファンの使用状態を示す正面図。
【符号の説明】
Ａ  ：レンジフードファン            １  ：フード
３  ：操作部                        11  ：天板
21  ：指標部                        31  ：通風用開口
42  ：フィルタ                      ４  ：排気ダクト
２  ：送風機ユニット                400 ：吊戸棚
Ｂ  ：調理用加熱器                  52  ：アダプタ
42  ：フィルタ                      32  ：フィルタボックス
12  ：送風機                        22  ：送風機ボックス
100 ：壁                            Ｃ  ：吊戸棚用スペース
【図１】
0003737850.tif 000002
【図２】
0003737850.tif 000003
【図３】
0003737850.tif 000004
【図４】
0003737850.tif 000005
【図５】
0003737850.tif 000006
【図６】
0003737850.tif 000007
【図７】
0003737850.tif 000008